【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
無線送信／受信ユニット（ＷＴＲＵ）に関連付けられた電力ヘッドルーム報告を管理する方法であって、
伝送時間間隔（ＴＴＩ）の間に、前記ＷＴＲＵがサービングセル上で少なくとも１つのリアルアップリンク送信を含むかどうか、および、前記ＷＴＲＵが前記サービングセル上で少なくとも１つの他のリアルアップリンク送信を含んでいた場合に、最後の電力ヘッドルーム報告が前記ＷＴＲＵによって送信された後に前記サービングセルについてのパワーマネージメント電力削減（Ｐ−ＭＰＲ）が閾値よりも大きい差で変わったかどうかを決定するステップと、
前記ＴＴＩの間に、前記ＷＴＲＵが前記サービングセル上で前記少なくとも１つのリアルアップリンク送信を含むこと、および、前記ＷＴＲＵが前記サービングセル上で前記少なくとも１つの他のリアルアップリンク送信を含んでいた場合に、前記最後の電力ヘッドルーム報告が前記ＷＴＲＵによって送信された後に前記サービングセルについての前記Ｐ−ＭＰＲが前記閾値よりも大きい差で変わったことを条件として、新しい電力ヘッドルーム報告をトリガするステップと
を含むことを特徴とする方法。
【請求項２】
前記新しい電力ヘッドルーム報告は、現在のＴＴＩに関連付けられ、および、前記最後の電力ヘッドルーム報告は、前記ＷＴＲＵが前記サービングセル上でいずれかのリアル送信を含んだ最も近い先のＴＴＩに関連付けられることを特徴とする請求項１に記載の方法。
【請求項３】
前記ＷＴＲＵは、（１）前記ＷＴＲＵが、関連付けられたＴＴＩの間に前記サービングセル上での送信のためのアップリンクリソースグラントを有すること、（２）前記ＷＴＲＵが、前記関連付けられたＴＴＩの間に前記サービングセル上での送信のために割り当てられたアップリンクリソースを有すること、（３）前記ＷＴＲＵが、前記関連付けられたＴＴＩの間に前記サービングセル上で物理アップリンク制御チャネル（ＰＵＣＣＨ）送信を提供することになること、のいずれかを条件として、前記サービングセル上で前記少なくとも１つのリアルアップリンク送信を含むことを特徴とする請求項１に記載の方法。
【請求項４】
前記ＷＴＲＵは、アップリンクグラントによって、または、半静的永続スケジューリングによって、前記関連付けられたＴＴＩの間に前記サービングセル上での送信のために割り当てられた前記アップリンクリソースを有していることを特徴とする請求項３に記載の方法。
【請求項５】
前記ＷＴＲＵは、（１）前記ＷＴＲＵが、前記他のＴＴＩの間に前記サービングセル上での送信のためのアップリンクリソースグラントを有していたこと、（２）前記ＷＴＲＵが、前記他のＴＴＩの間に前記サービングセル上での送信のために割り当てられたアップリンクリソースを有していたこと、（３）前記ＷＴＲＵが、前記他のＴＴＩの間に前記サービングセル上で物理アップリンク制御チャネル（ＰＵＣＣＨ）送信を提供したこと、のいずれかを条件として、前記最後の電力ヘッドルーム報告に関連付けられたもう１つのＴＴＩ内で前記サービングセル上で前記少なくとも１つの他のリアルアップリンク送信を含んでいたことを特徴とする請求項１に記載の方法。
【請求項６】
前記ＷＴＲＵは、アップリンクグラントによって、または、半静的永続スケジューリングによって、前記他のＴＴＩの間に前記サービングセル上での送信のために割り当てられた前記アップリンクリソースを有していることを特徴とする請求項５に記載の方法。
【請求項７】
前記ＷＴＲＵは、前記ＷＴＲＵが前記ＴＴＩの間に新しい送信のために割り当てられたアップリンクリソースを有することをさらなる条件として、前記新しい電力ヘッドルーム報告をトリガすることを特徴とする請求項１に記載の方法。
【請求項８】
前記Ｐ−ＭＰＲは、（１）比吸収率（ＳＡＲ）における変化、（２）前記ＷＴＲＵのユーザへの前記ＷＴＲＵの近接における変化、または、（３）１ｘＥＶ−ＤＯデータ送信のいずれかによって影響を与えられることを特徴とする請求項１に記載の方法。
【請求項９】
無線送信／受信ユニット（ＷＴＲＵ）に関連付けられた電力ヘッドルーム報告を管理する方法であって、
伝送時間間隔（ＴＴＩ）の間に、前記ＷＴＲＵがサービングセル上での送信のためのアップリンクリソースグラントを有するかどうか、および、前記ＷＴＲＵが前記サービングセル上での送信のためのもう１つのアップリンクリソースグラントを有していた場合に、前記ＷＴＲＵによる電力ヘッドルーム報告の最後の送信の後に前記サービングセルについてのパワーマネージメント電力削減（Ｐ−ＭＰＲ）が閾値よりも大きい差で変わったかどうかを決定するステップと、
前記ＴＴＩの間に、前記ＷＴＲＵが前記サービングセル上での送信のための前記アップリンクリソースグラントを有すること、および、前記ＷＴＲＵが前記サービングセル上での送信のための前記他のアップリンクリソースグラントを有していた場合に、前記ＷＴＲＵによる前記電力ヘッドルーム報告の前記最後の送信の後に前記サービングセルについての前記Ｐ−ＭＰＲが前記閾値よりも大きい差で変わったことを条件として、新しい電力ヘッドルーム報告をトリガするステップと
を含むことを特徴とする方法。
【請求項１０】
前記新しい電力ヘッドルーム報告は、現在のＴＴＩに関連付けられ、および、前記最後の電力ヘッドルーム報告は、前記ＷＴＲＵがいずれかのアップリンクリソースグラントを有した最も近い先のＴＴＩに関連付けられることを特徴とする請求項９に記載の方法。
【請求項１１】
前記Ｐ−ＭＰＲは、（１）比吸収率（ＳＡＲ）における変化、（２）前記ＷＴＲＵのユーザへの前記ＷＴＲＵの近接における変化、または、（３）１ｘＥＶ−ＤＯデータ送信のいずれかによって影響を与えられることを特徴とする請求項９に記載の方法。
【請求項１２】
電力ヘッドルーム報告を管理するように構成された無線送信／受信ユニット（ＷＴＲＵ）であって、
伝送時間間隔（ＴＴＩ）の間に、サービングセル上で少なくとも１つのリアルアップリンク送信を含むかどうか、および、少なくとも１つの他のリアルアップリンク送信が前記ＷＴＲＵによって前記サービングセル上で含まれていた場合に、最後の電力ヘッドルーム報告が前記ＷＴＲＵによって送信された後に前記サービングセルについてのパワーマネージメント電力削減（Ｐ−ＭＰＲ）が閾値よりも大きい差で変わったかどうかを決定するように構成されたプロセッサと、
前記ＴＴＩの間に、前記サービングセル上での前記少なくとも１つのリアルアップリンク送信が前記ＷＴＲＵによって含まれること、および、前記少なくとも１つの他のリアルアップリンク送信が前記ＷＴＲＵによって前記サービングセル上で含まれていた場合に、前記最後の電力ヘッドルーム報告が前記ＷＴＲＵによって送信された後に前記サービングセルについての前記Ｐ−ＭＰＲが前記閾値よりも大きい差で変わったことを条件として、新しい電力ヘッドルーム報告をトリガするように構成された送信／受信ユニットと
を備えたことを特徴とするＷＴＲＵ。
【請求項１３】
前記新しい電力ヘッドルーム報告は、現在のＴＴＩに関連付けられ、および、前記最後の電力ヘッドルーム報告は、前記ＷＴＲＵが前記サービングセル上でいずれかのリアル送信を含んだ最も近い先のＴＴＩに関連付けられることを特徴とする請求項１２に記載のＷＴＲＵ。
【請求項１４】
前記送信／受信ユニットは、（１）前記ＷＴＲＵが、関連付けられたＴＴＩの間に前記サービングセル上での送信のためのアップリンクリソースグラントを有すること、（２）前記ＷＴＲＵが、前記関連付けられたＴＴＩの間に前記サービングセル上での送信のために割り当てられたアップリンクリソースを有すること、（３）前記ＷＴＲＵが、前記関連付けられたＴＴＩの間に前記サービングセル上で物理アップリンク制御チャネル（ＰＵＣＣＨ）送信を提供することになること、のいずれかを条件として、前記サービングセル上で前記少なくとも１つのリアルアップリンク送信を含むように構成されたことを特徴とする請求項１２に記載のＷＴＲＵ。
【請求項１５】
前記送信／受信ユニットは、アップリンクグラントによって、または、半静的永続スケジューリングによって、前記関連付けられたＴＴＩの間に前記サービングセル上での送信のための前記アップリンクリソースの割り当てを受信するように構成されたことを特徴とする請求項１２に記載のＷＴＲＵ。
【請求項１６】
前記プロセッサは、前記ＷＴＲＵが前記ＴＴＩの間に新しい送信のために割り当てられたアップリンクリソースを有することをさらなる条件として、前記新しい電力ヘッドルーム報告をトリガするように構成されたことを特徴とする請求項１２に記載のＷＴＲＵ。
【請求項１７】
前記プロセッサは、（１）比吸収率（ＳＡＲ）における変化、（２）前記ＷＴＲＵのユーザへの前記ＷＴＲＵの近接における変化、または、（３）１ｘＥＶ−ＤＯデータ送信のいずれかによって影響を与えられるＰ−ＭＰＲについての値を維持するように構成されたことを特徴とする請求項１２に記載のＷＴＲＵ。
【請求項１８】
電力ヘッドルーム報告を管理するように構成された無線送信／受信ユニット（ＷＴＲＵ）であって、
伝送時間間隔（ＴＴＩ）の間に、前記ＷＴＲＵがサービングセル上での送信のためのアップリンクリソースグラントを有するかどうか、および、前記ＷＴＲＵが前記サービングセル上での送信のためのもう１つのアップリンクリソースグラントを有していた場合に、前記ＷＴＲＵによる電力ヘッドルーム報告の最後の送信の後に前記サービングセルについてのパワーマネージメント電力削減（Ｐ−ＭＰＲ）が閾値よりも大きい差で変わったかどうかを決定するように構成されたプロセッサと、
前記ＴＴＩの間に、前記ＷＴＲＵが前記サービングセル上での送信のための前記アップリンクリソースグラントを有すること、および、前記ＷＴＲＵが前記サービングセル上での送信のための前記他のアップリンクリソースグラントを有していた場合に、前記ＷＴＲＵによる前記電力ヘッドルーム報告の前記最後の送信の後に前記サービングセルについての前記Ｐ−ＭＰＲが前記閾値よりも大きい差で変わったことを条件として、新しい電力ヘッドルーム報告をトリガするように構成された送信／受信ユニットと
を備えたことを特徴とするＷＴＲＵ。
【請求項１９】
前記新しい電力ヘッドルーム報告は、現在のＴＴＩに関連付けられ、および、前記最後の電力ヘッドルーム報告は、前記ＷＴＲＵがいずれかのアップリンクリソースグラントを有した最も近い先のＴＴＩに関連付けられることを特徴とする請求項１８に記載のＷＴＲＵ。
【請求項２０】
前記プロセッサは、（１）比吸収率（ＳＡＲ）における変化、（２）前記ＷＴＲＵのユーザへの前記ＷＴＲＵの近接における変化、または、（３）１ｘＥＶ−ＤＯデータ送信のいずれかによって影響を与えられるＰ−ＭＰＲについての値を維持するように構成されたことを特徴とする請求項１８に記載のＷＴＲＵ。